(57)【要約】      （修正有）【課題】簡単に壁面等に取り付けて使用可能で、意匠性にも優れたインタラクティブ機能を備えたプロジェクタ装置一体型壁掛け式照明器具を提供する。【解決手段】光学系からの映像を近距離の垂直面に拡大投射するインタラクティブ機能を備えたプロジェクタ装置３００と、前記プロジェクタ装置を保持する保持部材と、カバー部材と、照明光投射装置と、を備え、前記プロジェクタ装置は、前記カバー部材の内部において、前方の吸入口と、後方の排出口が配置され、前記保持部材は、前記プロジェクタ装置からの映像の歪みを調整する画歪調整手段を有し、前記カバー部材の内部に、前記プロジェクタ装置からの投射映像を覆う範囲にカーテン状の赤外光を照射する赤外光照射手段と、前記投射映像を覆う範囲からの反射赤外光を検知する赤外光検知手段と、を有している、プロジェクタ装置一体型壁掛け式照明器具。【選択図】図３
2019133092.tif 000002
【特許請求の範囲】
【請求項１】
垂直面に映像を投射するインタラクティブ機能を備えたプロジェクタ装置と、
前記プロジェクタ装置を保持する保持部材と、
前記プロジェクタ装置のカバー部材と、
照明光投射装置と、を備え、
前記プロジェクタ装置は、前記カバー部材の内部において、前方の吸入口が前記垂直面に近接すると共に、後方の排出口が前記垂直面から離隔する位置になるように配置され、
前記保持部材は、前記プロジェクタ装置からの映像の歪みを調整する画歪調整手段を有し、
前記カバー部材は、垂直方向において、前記プロジェクタ装置の外周側面を覆い、さらに、前記カバー部材の内部に、前記プロジェクタ装置からの投射映像を覆う範囲にカーテン状の赤外光を照射する赤外光照射手段と、前記プロジェクタ装置の投射映像の出射位置と略同位置に設けられて前記投射映像を覆う範囲からの反射赤外光を検知する赤外光検知手段と、を有している、プロジェクタ装置一体型壁掛け式照明器具。
【請求項２】
内部に光源、前記光源からの光を映像光に変換する手段、および前記映像光を拡大して投射する光学系を有し、前記光学系からの映像を近距離の垂直面に拡大投射するインタラクティブ機能を備えたプロジェクタ装置と、
前記プロジェクタ装置を、前記映像の投射面である前記垂直面に対して略垂直に直立し、かつ、水平方向の所定の位置に保持する保持部材と、
前記保持部材により略水平方向の所定の位置に保持された前記プロジェクタ装置の外周側面を取り囲むように配置されるカバー部材と、
前記カバー部材の内部に取り付けられて前記カバー部材の外部に間接的な照明光を投射するための照明光投射装置と、を備え、
前記プロジェクタ装置は、前記カバー部材の内部において、前方の吸入口が前記垂直面に近接すると共に、後方の排出口が前記垂直面から離隔する位置になるように配置され、
前記保持部材は、前記プロジェクタ装置からの映像の歪みを調整する画歪調整手段を有し、
前記カバー部材は、垂直方向において、前記プロジェクタ装置の外周側面を覆い、さらに、前記カバー部材の内部に、前記プロジェクタ装置からの投射映像を覆う範囲にカーテン状の赤外光を照射する赤外光照射手段と、前記プロジェクタ装置の投射映像の出射位置と略同位置に設けられて前記投射映像を覆う範囲からの反射赤外光を検知する赤外光検知手段と、を有している、プロジェクタ装置一体型壁掛け式照明器具。
【請求項３】
請求項１または２に記載のプロジェクタ装置一体型壁掛け式照明器具において、
前記赤外光照射手段は、前記カバー部材の内部において、前記垂直面の近傍に取り付けられている、プロジェクタ装置一体型壁掛け式照明器具。
【請求項４】
請求項１または２に記載のプロジェクタ装置一体型壁掛け式照明器具において、
前記赤外光検知手段はＩＲカメラから成り、前記ＩＲカメラは、その光軸傾き角度が投射映像の投影角度最小値と略同等、または、それより小さい値になるように設定されている、プロジェクタ装置一体型壁掛け式照明器具。
【請求項５】
請求項４に記載のプロジェクタ装置一体型壁掛け式照明器具において、
前記ＩＲカメラは、前記ＩＲカメラのＦＯＶの垂直（高さ）方向の最大値および前記ＩＲカメラのＦＯＶの垂直（高さ）方向の横（水平）方向の最大値が投射映像を内包し、かつ、近い寸法となるように配置されている、プロジェクタ装置一体型壁掛け式照明器具。
【請求項６】
請求項５に記載のプロジェクタ装置一体型壁掛け式照明器具において、
前記光軸傾き角度は、所定の値に設定されている、プロジェクタ装置一体型壁掛け式照明器具。
【請求項７】
請求項５に記載のプロジェクタ装置一体型壁掛け式照明器具において、
前記光軸傾き角度は、前記投射映像が４０インチの映像のとき、基準値±５ｄｅｇである、プロジェクタ装置一体型壁掛け式照明器具。
【請求項８】
請求項１または２に記載のプロジェクタ装置一体型壁掛け式照明器具において、
前記保持部材の前記画歪調整手段は、３軸調整機能を備えた取付け部材である、プロジェクタ装置一体型壁掛け式照明器具。
【請求項９】
請求項１または２に記載のプロジェクタ装置一体型壁掛け式照明器具において、
前記カバー部材の内部に取り付けられた前記照明光投射装置は、その照明光が前記カバー部材の内側面で反射されることにより前記カバー部材上方の前記垂直面に照射するよう構成されている、プロジェクタ装置一体型壁掛け式照明器具。
【請求項１０】
請求項１または２に記載のプロジェクタ装置一体型壁掛け式照明器具において、
前記カバー部材は、円弧状の形状を有している、プロジェクタ装置一体型壁掛け式照明器具。
【請求項１１】
請求項１０に記載のプロジェクタ装置一体型壁掛け式照明器具において、
前記円弧状のカバー部材は、遮光部材から成る意匠部分と、光透過および拡散性部材から成る部分を有する２層構造である、プロジェクタ装置一体型壁掛け式照明器具。
【発明の詳細な説明】
【技術分野】
【０００１】
本発明は、インタラクティブ機能を備えたプロジェクタ装置を内部に一体に組み込んで壁面に取り付けられて前記壁面に映像を投射することの可能な壁掛け式照明器具に関する。
【背景技術】
【０００２】
各種の映像を投射する投射光学装置であるプロジェクタ装置は、外部からの映像信号を入力してその映像を拡大してパネルや壁面等に投射するための手段としても広く利用されてきており、一般的には、例えば、机上に設置した状態で、拡大した映像をスクリーンや壁面上に投射する。しかしながら、例えば、以下の特許文献１にも開示されているように、投射光学装置であるプロジェクタを天井に吊り下げて映像をスクリーンや壁面上に投射するためのプロジェクタ天吊り装置は、既に知られている。
【０００３】
以下の特許文献２によれば、投射光学装置であるプロジェクタを天井に吊り下げて円筒型に形成されたスクリーン（投影面）上に投射するプロジェクションシステムも既に知られている。
【０００４】
加えて、以下の特許文献３によれば、断面「Ｌ」字状の支持部材によって壁面に取り付けるインタラクティブプロジェクタも既に知られている。
【先行技術文献】
【特許文献】
【０００５】
【特許文献１】特開２０００−１２２１８０号公報
【特許文献２】特開２００７−２１８９４５号公報
【特許文献３】特開２０１７−１３８８７２号公報
【発明の概要】
【発明が解決しようとする課題】
【０００６】
近年、投射光学装置から映像が投射される壁面（スクリーン）までの距離を著しく短くしたプロジェクタが広く利用されてきており、そのため、上記特許文献１や２により知られるプロジェクタを天井に吊り下げる支持構造に替えて、上記特許文献３で知られるような、即ち、映像が投射される壁面（スクリーン）に、直接、当該投射光学装置を壁面に取り付けることの可能な支持装置である取り付け部材が強く要望されている。
【０００７】
かかる取り付け部材には、プロジェクタ装置を壁面に取り付けるための機能だけではなく、さらには、その外観における意匠性に優れ、かつ、室内におけるプロジェクタの存在位置や投射される映像の大きさ等を想定させないため、例えば、照明機能をも有することなども求められている。
【０００８】
加えて、上記の特許文献３によれば、インタラクティブ機能を備えたプロジェクタ装置を実現するため、投射画面に沿って層状、または、カーテン状の検出光を照射するための層状検出光照射部を、上記壁面に取り付けた「Ｌ」字状の支持部材に取り付けると共に、当該光照射部からの赤外光のペンや指等による反射等を、プロジェクタの一部（先端）に取り付けたカメラによって検知して当該非発光指示体の位置を検出するものである。しかしながら、プロジェクタ装置を照明器具と一体に組み込むための構成や構造については何等の開示もしておらず、特に、照明器具を壁面に取り付けた際の照明効果や投射映像の調整については何等の考慮もされていない。
【０００９】
そこで、本発明は、インタラクティブ機能を備えたプロジェクタ装置を内部に一体に組み込んだ壁掛け式照明器具であって、映像を投射する壁面に、直接、簡単に取り付けて使用することが可能で、かつ、画歪調整機能にも優れると共に照明器具としての照明効果にも優れたプロジェクタ装置一体型壁掛け式照明器具を提供することをその目的とする。
【課題を解決するための手段】
【００１０】
本発明では、上記の目的を達成するために、内部に光源、前記光源からの光を映像光に変換する手段、および前記映像光を拡大して投射する光学系を有し、前記光学系からの映像を近距離の垂直面に拡大投射するインタラクティブ機能を備えたプロジェクタ装置と、前記プロジェクタ装置を、前記映像の投射面である前記垂直面に対して略垂直に直立し、かつ、水平方向の所定の位置に保持する保持部材と、前記保持部材により略水平方向の所定の位置に保持された前記プロジェクタ装置の外周側面を取り囲むように配置されるカバー部材と、前記カバー部材の内部に取り付けられて前記カバー部材の外部に間接的な照明光を投射するための照明光投射装置と、を備え、前記プロジェクタ装置は、前記カバー部材の内部において、前方の吸入口が前記垂直面に近接すると共に、後方の排出口が前記垂直面から離隔する位置になるように配置され、前記保持部材は、前記プロジェクタ装置からの映像の歪みを調整する画歪調整手段を有し、前記カバー部材は、垂直方向において、前記プロジェクタ装置の外周側面を覆い、さらに、前記カバー部材の内部に、前記プロジェクタ装置からの投射映像を覆う範囲にカーテン状の赤外光を照射する赤外光照射手段と、前記プロジェクタ装置の投射映像の出射位置と略同位置に設けられて前記投射映像を覆う範囲からの反射赤外光を検知する赤外光検知手段と、を有している、プロジェクタ装置一体型壁掛け式照明器具が提供される。
【発明の効果】
【００１１】
本発明によれば、インタラクティブ機能を備えたプロジェクタ装置を内部に一体に組み込んだ壁掛け式照明器具であって、映像を投射する壁面に、直接、簡単に取り付けて使用することが可能で、かつ、調整機能にも優れると共に照明器具としての照明効果にも優れたスマートなプロジェクタ装置一体型壁掛け式照明器具が提供されるという実用的にも優れた効果を発揮する。
【図面の簡単な説明】
【００１２】
【図１】本発明の一実施の形態に係るプロジェクタ装置一体型壁掛け式照明器具の外観を示す斜視図である。
【図２】（ａ）〜（ｃ）は本発明の一実施の形態に係るプロジェクタ装置一体型壁掛け式照明器具のカバー部材の詳細構造を示す展開斜視図である。
【図３】本発明の一実施の形態に係るプロジェクタ装置一体型壁掛け式照明器具の各部構造を示す展開斜視図である。
【図４】本発明の一実施の形態に係るプロジェクタ装置一体型壁掛け式照明器具の内部の構造および吸気と排気の関係を示す組立後の斜視図である。
【図５】（ａ）、（ｂ）は本発明の一実施の形態に係るプロジェクタ装置一体型壁掛け式照明器具を構成するプロジェクタ装置の異なる角度からの外観を示す斜視図である。
【図６】本発明の一実施の形態に係るプロジェクタ装置一体型壁掛け式照明器具を構成するプロジェクタ装置における光学系の構成の一例を示した断面図である。
【図７】本発明の一実施の形態に係るプロジェクタ装置一体型壁掛け式照明器具を構成する壁取付け部材の３軸調整金具とプロジェクタ固定金具とプロジェクタ装置を示した斜視図である。
【図８】本発明の一実施の形態に係るプロジェクタ装置一体型壁掛け式照明器具を構成する壁取付け部材の３軸調整金具とプロジェクタ固定金具を分解して示した斜視図である。
【図９】（ａ）〜（ｃ）は本発明の一実施の形態に係るプロジェクタ装置一体型壁掛け式照明器具の取付け部材を構成する３軸調整金具とその半球体軸、および、プロジェクタ固定金具とその半球体軸を中心として示した拡大断面図である。
【図１０】本発明の一実施の形態に係るプロジェクタ装置一体型壁掛け式照明器具の取付け部材を構成する３軸調整金具およびプロジェクタ固定金具を、調整ダイヤル（１）または（２）を中心として示した拡大断面図である。
【図１１】本発明の一実施の形態に係るプロジェクタ装置一体型壁掛け式照明器具の取付け部材を構成する３軸調整金具およびプロジェクタ固定金具を、調整ダイヤル（３）を中心として示した拡大断面図である。
【図１２】本発明の一実施の形態に係るプロジェクタ装置一体型壁掛け式照明器具の取付け部材を構成する調整ダイヤルを代表的に示した拡大斜視図である。
【図１３】（ａ）、（ｂ）は本発明の一実施の形態に係るプロジェクタ装置一体型壁掛け式照明器具の３軸調整金具の落下防止構造の一例を示す図である。
【図１４】（ａ）、（ｂ）は本発明の一実施の形態に係るプロジェクタ装置一体型壁掛け式照明器具の３軸調整金具の３個の調整ダイヤルのＸ軸を中心とする回転方向における調整を示す図である。
【図１５】（ａ）、（ｂ）は本発明の一実施の形態に係るプロジェクタ装置一体型壁掛け式照明器具の３軸調整金具の３個の調整ダイヤルのＹ軸を中心とする回転方向における調整を示す図である。
【図１６】（ａ）、（ｂ）は本発明の一実施の形態に係るプロジェクタ装置一体型壁掛け式照明器具の３軸調整金具の３個の調整ダイヤルのＺ軸を中心とする回転方向における調整を示す図である。
【図１７】（ａ）、（ｂ）は本発明の一実施の形態に係るプロジェクタ装置一体型壁掛け式照明器具の３軸調整金具の３個の調整ダイヤルのＸ、Ｙ、Ｚ軸を中心とする回転方向における調整を纏めて示す図である。
【図１８】本発明の一実施の形態に係るプロジェクタ装置一体型壁掛け式照明器具のプロジェクタ装置のインタラクティブ機能を達成するための構成を示す断面図である。
【図１９】本発明の一実施の形態に係るプロジェクタ装置一体型壁掛け式照明器具のインタラクティブ機能のための動作を説明する図である。
【図２０】（ａ）〜（ｃ）は本発明の一実施の形態に係るプロジェクタ装置一体型壁掛け式照明器具の照明装置におけるカメラモジュール組体の詳細構成の一例を示す図である。
【図２１】本発明の一実施の形態に係るプロジェクタ装置一体型壁掛け式照明器具の照明装置におけるカメラモジュール（ＩＲカメラ）の配置および設定について説明する図である。
【図２２】（ａ）、（ｂ）は本発明の一実施の形態に係るプロジェクタ装置一体型壁掛け式照明器具の照明装置におけるカメラモジュール（ＩＲカメラ）の配置および設定について説明する図である。
【図２３】本発明の一実施の形態に係るプロジェクタ装置一体型壁掛け式照明器具の照明装置におけるカメラモジュール（ＩＲカメラ）の配置および設定について説明する図である。
【図２４】（ａ）〜（ｃ）は本発明の一実施の形態に係るプロジェクタ装置一体型壁掛け式照明器具の照明装置におけるカメラモジュール（ＩＲカメラ）の配置および設定について説明する図である。
【図２５】（ａ）〜（ｃ）は本発明の一実施の形態に係るプロジェクタ装置一体型壁掛け式照明器具の照明装置におけるコントロールユニット組体の詳細構成の一例を示す図である。
【図２６】（ａ）、（ｂ）は本発明の一実施の形態に係るプロジェクタ装置一体型壁掛け式照明器具を構成する照明装置のＬＥＤ基板組体の詳細構造の一例を示す図である。
【図２７】（ａ）、（ｂ）は本発明の一実施の形態に係るプロジェクタ装置一体型壁掛け式照明器具を構成する照明装置のカバー部材内の詳細構造の一例を示す図である。
【図２８】本発明の一実施の形態に係るプロジェクタ装置一体型壁掛け式照明器具の照明装置における投射光について説明する図である。
【発明を実施するための形態】
【００１３】
以下、本発明の一実施の形態について、添付の図面を参照しながら、詳細に説明する。なお、以下の説明においては、同じ構成要件については同じ参照番号を付して示しており、重複する説明を避ける。
【００１４】
まず、図１は、本発明の一実施の形態に係るプロジェクタ装置一体型壁掛け式照明器具（「ＰＪ一体型壁掛け式照明器具」、「照明器具」とも言う）の外観を示す斜視図を示す。この図からも明らかなように、このＰＪ一体型壁掛け式照明器具１００は、壁面に簡単かつ直接的に取り付けられて、その上方にぼんやりとやわらかな配光特性を持つ照明光ＩＬ（半円状の配光分布を示す）を照射すると共に、透過性のカバー部材２２０も透過して照射され、その下方には内部に組み込まれたプロジェクタ装置による映像ＰＩを投射面上に投射する機能を有している。また、図中の符号２６５は、以下にも述べるプロジェクタ装置からの投射光が通過するための出射部を示している。
【００１５】
＜カバー部材＞
即ち、壁掛け式照明器具は、円弧状に形成した２枚の板状部材（図１の符号２１０、２２０）からなるフロントカバー部材２００により以下に述べるプロジェクタ装置の外周側面を取り囲むように覆っており、装飾的な要素を削ぎ落とした、シンプルでスタイリッシュな半円弧形状としている。
【００１６】
図２にも示すように、フロントカバー部材２００の外側のアウターカバー２１０は意匠部材により構成されており、他方、その内側のインナーカバー２２０は、光透過性の拡散部材により構成されており、さらに、インナーカバー２２０の上部２２１（図１を参照）は、内側のＬＥＤ（Ｌｉｇｈｔ  Ｅｍｉｔｔｉｎｇ  Ｄｉｏｄｅ）光により全面が均一に光ると共に、その下部２２２（図１を参照）の内側には遮光フィルムが取り付けられて下部２２２に対して投射画面からの反射光を遮光する構造となっている（図２（ａ）参照）。より具体的には、インナーカバー２２０と遮光シート２２３は、アウターカバー２１０と排気ダクト２３０に挟まれた状態で固定され、さらに、インナーカバー２２０と遮光シート２２３は、アウターカバー２１０と壁面への固定金具２４０にも挟まれた状態で固定される（図２（ｂ）参照）。なお、組み付け状態にて、固定金具２４０を、後に詳述するブラケット本体（壁掛け金具）へ取り付ける（図２（ｃ）参照）。
【００１７】
図２、図３からも明らかなように、この壁掛け式照明器具では、このフロントカバー部材を、インナーカバー２２０とアウターカバー２１０でその素材を変えた三層構成とすることで、軽快感と、高級感を演出している。また、アウターカバー２１０とインナーカバー２２０とで設けられた二重段差構造により、段差部での機能性（排熱）と、デザイン性を両立している。また、これらのアウターカバー２１０とインナーカバー２２０の上下には、トップカバー２５０とボトムカバー２６０が取り付けられている。
【００１８】
また、このフロントカバー部材２００のインナーカバー２２０には、外気を吸入するための、または、プロジェクタ装置からの熱を照明器具の外部へ導くための開口部２２４等（換気用の開口排熱機能）が設けられており、トップカバー２５０もプロジェクタ装置の排気口の反対側となる位置に吸気用の開口が設けられており、プロジェクタ装置からの排気が、ブラケット照明内部で循環しないように排気／吸気構造を有している。
【００１９】
即ち、ＰＪ一体型壁掛け式照明器具１００内部の詳細構造を示す展開斜視図である図３から明らかであり、さらには、組み込み後の状態を示す図４に矢印で示すように、プロジェクタ装置は、トップカバー２５０の後方（壁側）に設けられた吸気口やフロントカバー部材２００の側方から吸気し、その内部で発生した熱をプロジェクタ装置の排気と共にインナーカバー２２０と連結した排気ダクト２３０や開口部２２４の一部を介して排気する。その後、この排気は、アウターカバー２１０の内壁に衝突し、そこで上下方向に分散されて外気に放出され、即ち、排気は、二重構造のインナーカバー２２０とアウターカバー２１０の間を利用して外部へ排出する構造となっている（一部、吸気にも利用）。なお、このような二重構造を利用しているため、インナーカバー２２０とアウターカバー２１０の間には、排気の逆流防止リブ２２５が設けられている。
【００２０】
また、これらの図３および図４にも示すように、ＰＪ一体型壁掛け式照明器具１００のフロントカバー部材２００の内部には、さらに、壁面にプロジェクタ装置を取り付けるための壁取付け部材５００と、照明器具の上方および壁側へ向けてぼんやりとやわらかな配光分布ＩＬを達成するための照明装置（照明機能）６００や、さらには、後にも詳述するレーザーカーテンモジュール７００、カメラモジュール組体８００、コントロールユニット組体９００等が一体に組み込まれている。
【００２１】
続いて、壁掛け式照明器具１００のフロントカバー部材２００内部に組み込まれた上記の各構成要素について以下に説明する。
【００２２】
＜プロジェクタ装置＞
図５（ａ）および（ｂ）は、上記照明器具１００の下方に映像（ＰＩ）を投射する機能を有するプロジェクタ装置３００を異なる角度からの外観を示す斜視図であり、これらの図において、前記プロジェクタ装置３００は、その本体を、底面と周囲の４側面を一体に形成した外形が略矩形状の下側ケース２（なお、その詳細は、後にも説明する）と、その上面に取り付けられる上側ケース３により構成されている。
【００２３】
これらの図からも明らかなように、このプロジェクタ装置３００の上面である上側ケース３の略中央部は丘陵状に盛り上がって形成され（凸状部）、その一部には、開閉式ミラーカバー３１が、他の部分から切り離されると共に、外側に向かって所定の角度だけ回動可能に取り付けられている。そして、この開閉式ミラーカバー３１の内側には、光学系の一部である、凸面形状で回転非対称に形成された反射ミラー（自由曲面ミラー）３２が取り付けられている。また、上述したカバー部３の凸状部の内部には、主として、ここでは図示しないレンズ光学系（図６を参照）が配置されており、そして、投射光を外部に導くための開口部３５が形成されている（図４を参照。なお、この図５では、レンズ光学系の最後の一部だけが前記開口部３５を介して示されている）。また、上側ケース３の表面には、フォーカス調整用の回転ツマミ３３や、各種入力用のプッシュボタンからなるタッチパネル式操作部３４などが、それぞれ、取り付けられている。
【００２４】
また、特に、図５（ｂ）から明らかなように、プロジェクタ装置は、その外形略矩形状の下側ケース２の一側面（上記開閉式ミラーカバー３１が設けられた側とは反対側の側面）には、プロジェクタ装置の使用形態に対応して設置可能なように、本体と一体に形成された一対のスタンド脚５が取り付けられている。また、この下側ケース２の他の側面には、後にも説明するが、さらに、商用電源からの交流電力を前記装置に供給する場合など電源ケーブルが差し込まれる電源インレット部６、内部の冷却を行うための空気を外部に吸入・排気するための開口部である吸入口７’や排気口７、さらには、ここでは図示しないが、前記プロジェクタ装置３００により投射表示される映像を外部から入力するための端子板などが取り付けられている。また、下側ケース２の底面には、図示しないが、冷却空気の吸入・排気口や、さらには、前記装置の設置角度を調整するための傾斜調整脚などが取り付けられてもよい。加えて、ここでは図示しないが、下側ケース２の底面には、以下にも述べる壁取付け部材５００の固定部５２０を取り付けるための手段（本例では、ネジ穴）が形成されている（以下の図７を参照）。
【００２５】
加えて、上述したプロジェクタ装置の外形寸法は、それにのみ限定されないが、一例として、図５において矢印で示す幅＝Ｗ、奥行き＝Ｄ、高さ＝Ｈが、それぞれ、Ｗ＝２６５ｍｍ、Ｄ＝２００ｍｍ、Ｈ＝７０ｍｍに設定された、いわゆる、Ａ４サイズに対応する寸法となっている。また、その重量は、装置全体として１．２ｋｇ程度と、比較的軽量に設定されている。即ち、簡易に設置して、映像を投射することが可能となるよう、映像光を壁面に対して極めて近距離（大きな傾斜角度）からでも台形歪を低減して投射することが可能で、よって、優れた投射映像が得られる、いわゆる、自由曲面ミラーや自由曲面レンズを含む超短焦点の投射光学系を備えているプロジェクタ装置が好ましい。
【００２６】
図６は、上述した光学系の構成の一例を示した断面図である。例えば、ここでは図示しない半導体レーザー等からなる光源からの光を、外部からの映像信号（例えば、携帯端末からの映像信号）に応じて、例えば、ＤＬＰ（デジタルライトプロセッシング）（登録商標）装置など、マイクロミラーや反射型液晶パネル（ＬＣＯＳ（登録商標）：Ｌｉｑｕｉｄ  ｃｒｙｓｔａｌ  ｏｎ  ｓｉｌｉｃｏｎ）からなる反射式や、液晶パネル等からなる透過式の光変調装置３０１により変調する。それによって得られた映像は、ＴＩＲプリズム３０２で合成され、複数のレンズからなる投射レンズ系３０３を介して反射ミラー３２に投射され、その表面で反射されて拡大投射される。なお、上述した複数のレンズから構成される投射レンズ系３０３は、映像の拡大投射に伴う各種の歪、例えば、斜め入射による歪や台形歪などを補正するために必要な、回転対称でない自由曲面形状のレンズ等を含めて、各種のレンズを含んでいる。また、投射レンズ系３０３は、投射レンズベース３０４上に移動可能に搭載されており、図のレンズ調整機構３０５の働きにより、図の上下方向に投射レンズの一部のレンズまたはレンズ群を移動させることでフォーカス性能の調整が可能となる。
【００２７】
また、この図では、上述した光学系により拡大されて反射ミラー３２上に投射され、その後、その表面で反射されて、例えば、スクリーンや壁面や机やテーブルなどの被投射表面上に投射され、前記映像光の上限光ＬＵと下限光ＬＤが、図中に矢印で示されている。
【００２８】
加えて、上述したプロジェクタ装置は、フロントカバー部材２００の内部において、映像を垂直面である壁面（スクリーン）に向けて投射すると共に、前方の吸入口が上記垂直面に近接し、他方、後方の排出口は前記垂直面から離隔するように配置されている。かかる配置によれば、垂直面である壁面に沿って装置内に吸入された外気は前記装置内部で暖められた後、壁面からは離隔した排出口から排出されて、上述したように、フロントカバー部材２００のインナーカバー２２０に設けた開口部２２４を通ってアウターカバー２１０の内壁に当たり、上記図４に矢印で示したように、上下方向に分散されて外気に放出されることとなる。このことから、吸気と排気とが交じり合って循環流を形成することがなく、効率のよい冷却が可能となる。また、プロジェクタ装置３００は、フロントカバー部材２００の下側に映像を投射することから、排気は上方向に放出されることが好ましいであろう。
【００２９】
＜３軸調整機能を備えた取付け部材＞
図７は、本発明であるＰＪ一体型壁掛け式照明器具を構成するプロジェクタ装置３００を、その取付け部材５００と共に示しており、この図にも示すように、３軸調整金具５１０とプロジェクタ固定金具５２０を含む取付け部材５００により、固定された状態で、直接、または、壁掛け金具４００（図３を参照）を介して壁面上の所定の位置に取り付けられて固定される。
【００３０】
図８は、上述した取付け部材５００を固定する３軸調整金具５１０とプロジェクタ固定金具５２０とを分解して示した斜視図である。３軸調整金具５１０は、図からも明らかなように、例えば、鉄やアルミニウムなどの金属板をプレス等の機械加工により容易に成形される。また、３軸調整金具５１０の周囲にフランジ部等を設けることにより剛性を高めて、外形略三角形の形状に形成されている。また、その三角形状の一辺の両側には、壁面固定部５１１（例えば、固定のためのネジ穴等を含む）を形成すると共に、その頂部付近には、以下に詳述する３軸調整機構の半球体軸５１２を固定している。
【００３１】
他方、プロジェクタ固定金具５２０は、やはり、フランジ部等と共に金属板等により、プロジェクタ装置３００の底面に取り付けられる外形略矩形のプロジェクタ固定部５２１と、外形略矩形の一辺に沿って延長して形成されて、上記固定部材５１１に連結される延長部５２２とから構成されている。また、プロジェクタ固定部５２０の上記延長部５２２とは反対側の辺の略中央部に近接する位置には、上記３軸調整金具５１０側の球体軸（半球体軸とも言う）５１２を受容する半球体軸受５２３と共に、弾性部材である調整バネ５５１が半球体軸５１２の近傍に並行して設けられている。加えて、上記延長部５２２には、その中央部と、その両端部に近接する位置に、それぞれ、弾性部材である調整バネが設けられている。なお、ここでは、これらの調整バネは、それぞれ、その位置に対応した異なる参照符号５５１、５５２、５５３、５５４で示す。
【００３２】
より詳細には、図に一点鎖線で示すように、プロジェクタ固定部５２０をプロジェクタ装置３００の底面に対して４個のネジなどの固定部材（図示せず）によって固定する。さらに、プロジェクタ固定部５２０を、上述した複数（本例では、４本）の調整バネ５５１〜５５４によって、上記３軸調整金具５１０の下面に取り付ける（具体的には、調整バネ５５１〜５５４の両端のフックを各固定金具５１０，５２０に形成されたスリットや固定用ボルト、ピン等に引掛けられる）。
【００３３】
加えて、図には、符号７０、８０、９０により、３個の調整ダイヤル（調整ダイヤル（１）、調整ダイヤル（２）、調整ダイヤル（３））が示され、これらの調整ダイヤルは、図からも明らかなように、上記３軸調整金具５１０に、それぞれ、所定の方向に沿って移動可能に取り付けられている（具体的には、３軸調整金具５１０に予め形成したネジ溝に螺合して挿入する）。調整ダイヤル７０、８０および調整バネ５５２、５５３は、３軸調整金具５１０が形成する外形略三角形の形状において、その頂部に取り付けられた半球体軸５１２に対向する三角形底辺側の頂点部付近に取り付けられる。調整ダイヤル９０は、調整ダイヤル７０（８０）の近傍に直交する方向に取り付けられる。調整バネ５５４は、調整バネ５５２、５５３の同一直線上に直交する方向に取り付けられる。
【００３４】
上記の構成により、プロジェクタ固定金具５２０とプロジェクタ装置３００は、調整バネの張力（収縮力）により、３軸調整金具５１０に常に引っ張られた状態となるが、半球体軸５１２／半球体軸受５２３と、調整ダイヤル７０、８０、９０により、３軸調整金具５１０から一定の距離を確保し、安定した姿勢を保つことができるようになっている。
【００３５】
なお、３軸調整金具５１０とプロジェクタ固定金具５２０は、重力方向においては、半球体軸５１２と、調整ダイヤル（１）７０と、調整ダイヤル（２）８０の先端によって３点支持されている。プロジェクタ装置３００は、ここでは図示しないネジ等の固定手段によりプロジェクタ固定金具５２０へ固定されており、プロジェクタ装置３００は、プロジェクタ固定金具５２０および３軸調整金具５１０を介して壁掛け金具４００に取り付けられ、壁に設置される。また、３軸調整金具５１０とプロジェクタ固定金具５２０は、調整バネ５５１〜５５４で連結されており、調整バネ５５１〜５５３は垂直方向、調整バネ５５４は水平方向に連結する。加えて、半球体軸５１２は３軸調整金具５１０へ固定され、半球体軸受５２３は、プロジェクタ固定金具５２０へ固定されている。さらに、３軸調整金具５１０とプロジェクタ固定金具５２０は、上記の半球体軸５１２と半球体軸受５２３で接触しており、３軸の支点となっている。また、調整ダイヤル７０，８０，９０は、先端が球形状の雄ネジとなっており、３軸調整金具５１０に設けられた雌ネジを貫通して先端がプロジェクタ固定金具５２０と接触しており、３軸の作用点を形成している。なお、上記部材の各々は、軸／軸受の構造に類似しており、その調整動作を妨げないように、相手側と動作範囲内においてクリアランスが設けられている。
【００３６】
上述した壁取付け部材５００の構造によれば、３軸調整金具５１０とプロジェクタ固定金具５２０は、半球体軸５１２と半球体軸受５２３により所定の距離だけ離隔され、弾性部材である複数の調整バネ５５１〜５５４の張力（収縮力）を利用して互いに回転自在に連結されている。このことから、前記収縮力に対向して力を加えることによれば、互いの位置を変更し、即ち、壁掛け金具４００を介して壁面６０に固定される３軸調整金具５１０に対して、プロジェクタ装置３００を固定したプロジェクタ固定金具５２０を、３軸方向において自在に調整することが可能となる。なお、ここでは、上記の壁取付け部材５００は、上述した３個の調整ダイヤル（調整ダイヤル（１）７０、調整ダイヤル（２）８０、調整ダイヤル（３）９０）を利用することによって３軸調整機能を実現する。なお、その詳細については、以下に説明する。
【００３７】
図９（ａ）は、上述した取付け部材５００のうち、上記３軸調整金具５１０の三角形状の頂部付近に固定された半球体軸５１２と、上記プロジェクタ固定金具５２０の一辺（上記延長部５２２とは反対側）の略中央部に固定された半球体軸受５２３とを中心として示した拡大断面図である。この図にも明らかなように、プロジェクタ固定金具５２０は、３軸調整金具５１０に対し、調整バネ５５１の収縮力と、半球体軸５１２と半球体軸受５２３とにより、互いに所定の距離での接触状態を維持しながら連結され、そして、半球体軸５１２と半球体軸受５２３との働きにより、前記３軸調整金具５１０に対して回動可能となっている。
【００３８】
また、図９（ｂ）にも示す通り、半球体軸受５２３の上面部は、半球体軸および半球体軸受の球中心よりもｈだけ低くなっており、図９（ｃ）にも示す通り、プロジェクタ固定金具５２０が３軸調整金具５１０に対してα傾いても、半球体軸の円筒部と半球体軸受が干渉しないようになっている。
【００３９】
図１０は、上述した３個の調整ダイヤルのうち、特に、調整ダイヤル（１）７０または調整ダイヤル（２）８０を中心とした拡大断面図である。この図にも明らかなように、調整バネ５５０の収縮と共に、調整ダイヤル（１）７０、または／および、調整ダイヤル（２）８０の先端部をプロジェクタ固定金具５２０の面へ接触して押圧している。他方、プロジェクタ固定金具５２０は、３軸調整金具５１０に対し、所定の距離を維持しながら連結されているが、３軸調整金具５１０に取り付けられた調整ダイヤル（１）７０、または／および、調整ダイヤル（２）８０を回転することにより、図９において上下方向に移動する。これによって、プロジェクタ固定金具５２０は、３軸調整金具５１０に対して、半球体軸／軸受を支点に傾きが調整可能となっている。
【００４０】
図１１は、調整ダイヤル（３）９０を中心とした拡大断面図である。この図にも明らかなように、調整ダイヤル（３）９０は、略三角形状の３軸調整金具５１０の傾斜部分（具体的には、三角形の斜面に沿って延びた辺から垂直方向に伸びた鍔部）に取り付けられると共に、その先端がプロジェクタ固定金具５２０の一部に傾斜して接触している。これにより、調整ダイヤル（３）９０を回転することにより矢印で示す方向に移動すること、プロジェクタ固定金具５２０は、３軸調整金具５１０に対して半球体軸／軸受を支点として破線矢印で示す方向に回転移動することが可能となる。
【００４１】
なお、図１２には、上述した調整ダイヤルのうち、代表的に、調整ダイヤル（１）７０を示し、図からも明らかなように、軸状のネジ部７１を有し、その一方の端部には半球形状部７２を形成／固定すると共に、その他端部には、回転操作を行うため、その周囲の面に軸方向に複数の溝を形成した円盤状の操作部７３を一体に取り付けて構成されている。
【００４２】
加えて、３軸調整金具５１０とプロジェクタ固定金具５２０は、調整バネのバネ力で支えられているが、過大な外力が加わった際のバネ破損防止および金具落下防止を目的として、図１３にも示すように、ストッパーＡ５５５、ストッパーＢ５５６、ストッパーＡワッシャ５５７、軸Ａ５５８等が設けられている。この落下防止のための構造では、３軸調整金具５１０とストッパーＢ５５６の間には、動作範囲内でクリアランスが設けられている（即ち、軸受（図の斜線部）に対して、ストッパーＢ５５６の軸径が小さい）。また、軸Ａ５５８とストッパーＡ５５５の間には、やはり、動作範囲内でクリアランスが設けられている（即ち、軸Ａ５５８に対して、軸受（ストッパーＡ５５５の丸穴））が大きい）。なお、図１３（ａ）は落下防止構造の上面を、そして、図１３（ｂ）はそのＴＩ−ＴＩ断面を示している。
【００４３】
続いて、上述した３個の調整ダイヤルによる投射画面の３軸（Ｘ軸、Ｙ軸、Ｚ軸）における調整について、以下に詳細に説明する。
【００４４】
図１４（ａ）および（ｂ）は、上述した３個の調整ダイヤルのうち、特に、調整ダイヤル（１）７０および調整ダイヤル（２）８０を回転することによる、図のＸ軸を中心とする回転方向（図に矢印で示す）における調整を示す。即ち、図１０（ａ）に示す調整ダイヤル（１）７０および調整ダイヤル（２）８０を回転することにより、プロジェクタ固定金具５２０に固定されたプロジェクタ装置３００を、図１４（ｂ）に示す移動範囲内で移動することによって、図のＸ軸を中心にした回転方向の調整することが可能となる。
【００４５】
図１５（ａ）および（ｂ）は、特に、調整ダイヤル（３）９０を回転することにより、図のＹ軸を中心とする回転方向（図に矢印で示す）における調整を示す。即ち、図１５（ａ）に示す調整ダイヤル（３）９０を回転することによって、プロジェクタ装置３００を、図１５（ｂ）に示す移動範囲内で移動する、即ち、図のＹ軸を中心にした回転方向での調整が可能となる。特に、半球軸受５２３は、プロジェクタ装置からの出射近辺に位置するために、Ｘ軸およびＹ軸周りの調整時に投射映像の位置ずれを小さく抑えることができる。また、調整時に投射距離の変化を最小限に抑えることができるので、投射サイズの変化を最小限にすることができる。
【００４６】
さらに、図１６（ａ）および（ｂ）は、特に、調整ダイヤル（１）７０および調整ダイヤル（２）８０の一方のみを回転し、または、それらの双方を、互いに逆方向に回転することにより、図のＺ軸を中心とする回転方向（図に矢印で示す）における調整を示す。即ち、図１６（ａ）に示す調整ダイヤル（１）７０、または／および、調整ダイヤル（２）８０を回転することにより、プロジェクタ装置３００を、図１６（ｂ）に示す移動範囲内で移動し、即ち、図のＺ軸を中心にした回転方向の調整することが可能となる。調整ダイヤル（１）７０および（２）８０は、半球軸受５２３に対して映像投射方向の左右略均等な位置であるため、二つの調整ダイヤルでＸ軸およびＹ軸の２軸の調整が可能であり、かつ、必要な調整量の把握が容易である。特に、半球体軸受５２３、ダイヤル７０および８０の３箇所で構成される三角形は、その内部にプロジェクタ装置の重心を含むため、３箇所の一部に過重な負荷がかかることがなく、調整作業がスムースかつ容易である。
【００４７】
なお、上述した３個の調整ダイヤルにより調整可能な回転軸とそれに伴って生じる映像の歪の傾向との関係を図１７に示す。なお、上述した３軸調整機構においては、図８にも示した調整ダイヤル（１）７０、（２）８０、（３）９０を、適宜、回動することにより３軸調整を行うこととなるが、ダイヤルの軸方向の移動量はネジ溝のピッチに依存し、より微細な位置調整を行うためには、特に、調整ダイヤル表面に形成されるネジ（螺合）溝のピッチを細かくすればよい。例えば、Ｍ３のメートル並目ネジのピッチは０．５ｍｍであるが、細目ネジのピッチは０．３５ｍｍとなり、１回転当たりの移動量を少なくすることが可能となる。また、調整ダイヤル操作部（図１２の符号７３を参照）の直径を大きくすることで、１回転当たりの操作部の移動量を大きくすることができるので、例えば操作部を手で回した際の移動量に対して、軸方向の移動量が小さくなり微調整がしやすくなる。
【００４８】
以上に詳細に説明したように、上述した取付け部材５００によれば、プロジェクタ装置３００に固定されるプロジェクタ固定金具５２０は、半球体軸５１２や半球体軸受５２３を利用して３軸方向で調整可能な構成とすることにより、壁面に取り付けられる壁固定金具（３軸調整金具）５１０に対して、回転・移動して調整可能となる。そのため、壁面に取り付けられる壁固定金具（３軸調整金具）５１０が、例えば、本来の取付け位置から外れて（例えば、壁面の垂直方向または水平方向に対して僅かに傾斜して）取り付けられた場合や、さらには、地震や人間の接触などの外力によってプロジェクタ装置３００が傾いて投射画面に歪が発生した場合において、再度、上記の調整ダイヤルにより３軸方向で調整することにより、投射画面の歪を容易に修正することが可能となる。
【００４９】
なお、上記の例では、３個の調整ダイヤルは、壁掛け金具４００に取り付けられる３軸調整金具５１０の一部に取り付けられるものとして説明したが、本発明はこれに限定されることなく、調整ダイヤルの数を２個（例えば、調整ダイヤル（１）７０または（２）８０、および、調整ダイヤル（３）９０）に低減し、または、それらの調整ダイヤルを、３軸調整金具５１０ではなく、プロジェクタ固定金具５２０側に取り付けても、同様の作用を得ることができることは当業者であれば当然であろう。
【００５０】
また、上記の実施例では、３軸調整金具５１０に対してプロジェクタ固定金具５２０を回動自在に連結するための手段として、半球体軸／軸受を利用するものについて説明したが、しかしながら、本発明はかかる実施例に限定されるものではなく、例えば、球体軸／軸受やその他の機構を利用してもよく、互いに自在に回動可能であればよい。
【００５１】
＜インタラクティブ機能＞
上述したＰＪ一体型壁掛け式照明器具１００においては、プロジェクタ装置３００による投射映像を介して、いわゆる、インタラクティブ機能を達成するため、フロントカバー部材２００内部には、上記の図３にも示したように、さらに、プロジェクタ装置により下方に投射された映像（ＰＩ）に沿って赤外光（レーザーカーテン）を放射状に照射するためのレーザーカーテンモジュール７００と、そして、前記モジュールからの赤外光（レーザーカーテン）のペンや指等による反射等を検知して前記発光指示体の位置を検出するＩＲ（赤外線）カメラを搭載したカメラモジュール組体８００が組み込まれている。
【００５２】
レーザーカーテンモジュール７００は、その内部にＩＲ（赤外線）レーザーダイオード（ここでは図示しない）を配列して構成されており、図１８や図１９にも示すように、フロントカバー部材２００内部の壁面に近い位置に配置されており、図に「レーザーカーテン範囲」で示すように、ボトムカバー２６０の開口部（出射部）２６５から放射状にレーザーカーテンを照射する。なお、この例では、レーザーカーテンモジュール７００は、４０インチの投射映像を覆うように放射状にレーザーカーテンを照射する。
【００５３】
一方、カメラモジュール組体８００は、図１８にも示すように、上記壁取付け部材５００の一部に取り付けられ、その先端部には、フロントカバー部材２００から下方に向けてＩＲカメラであるカメラモジュール８２０が取り付けられている。なお、このカメラモジュール８２０は、図２０にも示すように、カメラカバー８３０と共に、固定金具８１０へ固定されてカメラモジュール組体８００を構成しており、組み付け状態にてブラケット本体（３軸調整金具５１０）へ取り付けられる。
【００５４】
また、このＩＲカメラモジュール８２０は、上記「レーザーカーテン範囲」が覆う投射画面の範囲の映像（図１８および図１９の「ＩＲカメラＦＯＶ（ｆｉｅｌｄ  ｏｆ  ｖｉｅｗ）」を参照）を撮像することが可能に設定されており、前記カメラ８２０によって赤外光（レーザカーテン）のペンや指等による反射を検知する。
【００５５】
上記の説明ではカメラモジュール組体８００は壁取付部材５００に取り付けられているため、投射画面の歪の調整とは独立であるが、それに代え、３軸調整金具５１０に取り付けることによれば、歪調整と同期してカメラモジュールの位置調整も行うことができる。より具体的には、上述したインタラクティブ機能を達成するための構成として、カメラモジュール組体８００を上述した３個の調整ダイヤルにより微細な位置調整の可能な３軸調整金具５１０を備えた壁取付け部材５００に取り付けることによれば、プロジェクタ装置３００からの投射画面の歪の調整を行うと共に、カメラモジュール８２０の「ＩＲカメラＦＯＶ」の調整も、同時に行うことができる。このことから、上述したＰＪ一体型壁掛け式照明器具１００は、一般のユーザでも、壁面に簡単に取り付けて使用することが可能であり、取付けの利便性にも優れた、ユーザフレンドリーな構造となろう。
【００５６】
続いて、上述したＩＲカメラ（カメラモジュール８２０）の配置および設定について、図２１〜図２４を参照して、以下に詳細に説明する。
【００５７】
＜ＩＲカメラの配置＞
図２１にも示すように、ＩＲカメラは、高さ（垂直）方向においては、上記プロジェクタ装置３００の投射用の反射ミラー（図５や図６の符号３２を参照）と略同等としてブラケットのカバー（フロントカバー部材２００）の内部に収まるようにすることが好ましい。これは、より高い配置とした場合、投射用のミラーがＩＲカメラの画枠に干渉し、ＩＲカメラの有効画枠が縮小してカメラ感度が劣化すること、他方、より低い配置とした場合、ブラケット（フロントカバー部材２００）の全高が増加し、デザイン性を損ねることによる。
【００５８】
＜ＩＲカメラの光軸傾き角度θ＞
ＩＲカメラの光軸傾き角度θは、良好な撮像画面の範囲を得るため、投射映像の投影角度最小値Ｍと略同等、または、それより小さい値に設定することが好ましい。
【００５９】
＜ＩＲカメラＦＯＶ＞
ＩＲカメラＦＯＶ（垂直方向：ＦＯＶ−Ｖ、水平方向：ＦＯＶ−Ｈ）は、図２２に定義される。また、図２３に示すように、ＩＲカメラは投映面に対して上方より斜めに撮像するため、投映面では下拡がりの台形となり、ＩＲカメラＦＯＶの垂直（高さ）方向の最大値をＶｍａｘ、横（水平）方向の最大値をＨｍａｘとする。この図にも示すように、そこで、図のＨｍａｘおよびＶｍａｘが投射映像（本図では４０インチ）を内包し、かつ、近い寸法となることがセンシング感度の観点から好ましい。
【００６０】
上記の条件下において、図２３に示すような４０インチの投射映像を得るには、以下の表１からも明らかなように、ＩＲカメラの光軸傾き角度は、２２ｄｅｇ±５ｄｅｇ程度に設定することが好ましい。なお、表１に記載の９９ｄｅｇは、基準のθ＝２２ｄｅｇとした場合のＦＯＶ−Ｖの値を、１３２ｄｅｇは、基準のθ＝２２ｄｅｇとした場合のＦＯＶ−Ｈの値を示す（カメラセンサは４対３のサイズであることが前提）。
【００６１】
【表１】
2019133092.tif 000003
【００６２】
これは、２２ｄｅｇを基準値（ＲＥＦ）とし、この値から±略１０度程度だけ変動した場合には、ＩＲカメラの垂直方向や水平方向での感度が劣化してしまうことによる。より具体的には、図２４にも示すように、θ２２ｄｅｇを基準値（ＲＥＦ）とした場合には良好なレーザーカーテンの範囲と４０インチの投射映像との関係を示すが、他方、基準値（ＲＥＦ）から外れた場合には、レーザーカーテンの範囲と４０インチの投射映像とが互いにずれてしまい、ＩＲカメラの感度が劣化してしまう。
【００６３】
図２４（ａ）はθ２２ｄｅｇの場合を示し、この状態では、図に「○」で注視するように、４０インチ画面の上縁コーナーをカバーする範囲がＦＯＶ−Ｈにより定まり、４０インチ画面の下縁をカバーする範囲がＦＯＶ−Ｖにより定まっており、即ち、レーザーカーテの範囲と４０インチの投射映像とが良好な関係となっている。
【００６４】
他方、図２４（ｂ）はカメラ光軸が基準値より＋１０ｄｅｇ傾いた状態を示し、この状態では、４０インチ画面の上縁コーナーをカバーする範囲がＦＯＶ−Ｈにより定まるが、しかし、ＦＯＶ−Ｈに対応したＦＯＶ−Ｖが４０インチ画面の下端を大きくオーバーしており、また、Ｈｍａｘも過大になっている。その結果、垂直方向の感度が劣化し、また、Ｖｍａｘが増加し、水平方向の感度が劣化する。また、図２４（ｃ）はカメラ光軸が基準値より−１０ｄｅｇ傾いた状態を示し、この状態では、４０インチ画面の下端をカバーする範囲がＦＯＶ−Ｖにより定まるが、ＦＯＶ−Ｖに対応したＦＯＶ−Ｈが４０インチ画面の上端を大きくオーバーしており、また、Ｈｍａｘも過大となる。その結果、水平方向の感度が劣化する。
【００６５】
加えて、インタラクティブ機能やその他の機能を達成するために必要な基板等については、図３にも示したコントロールユニット組体９００として、上記フロントカバー部材２００の内部に一体に組み込まれる。このコントロールユニット組体９００は、その一例として、図２５にも示すように、固定金具９１０と、前記固定金具へ取り付けられるコントロール基板９２０と操作パネル９３０等から構成されており、組み付け状態にてブラケット本体（３軸調整金具５３０）へ取り付けられる。なお固定金具９１０の上部には、各種の機器を搭載するためのスペースがある。
【００６６】
＜照明装置＞
続いて、上述したＰＪ一体型壁掛け式照明器具１００において、上述したフロントカバー部材２００の内部に取り付けられて、その上方にぼんやりとやわらかな配光分布の光ＩＬを照射するための照明光発生部である照明装置６００について以下に詳述する。
【００６７】
この照明装置６００は、上記の図２にも示すように、以下の図２６に示す板状のＬＥＤ基板組体６１０を２個、外形略「Ｖ」字状に組み合わせて構成されている。ＬＥＤ基板６２０は、複数の発光源である発光ダイオードを一列に配置して搭載した基板からなり、ＬＥＤカバー６３０は、光透過性の部材により形成されている。ＬＥＤ基板６２０とＬＥＤカバー６３０は、放熱板を兼ねた固定金具６４０へ固定される。なお、このＬＥＤ基板組体６１０は、外形略「Ｖ」字状に組み付け状態にてブラケット本体（プロジェクタ固定金具５００の構成部である３軸調整金具５１０）へと取付ける。
【００６８】
上述した構成の照明装置６００によれば、半円形のインナーカバー２２０に対して、ＬＥＤ基板組体６１０を「Ｖ」字状に配置することで、ＬＥＤ基板組体６１０の発光ダイオードからの光は、図２７において矢印で示すように、光透過材から成るインナーカバー２２０の表面を均一に照らすことでぼんやりとやわらかな配光分布の照明光ＩＬを達成している。また、インナーカバー２２０の内面の一部の反射光は後方（壁側）を照らすことで間接照明として機能する。なお、インナーカバー２２０とＬＥＤ基板組体６１０の間の距離、角度等の位置関係を調整し最適化することで、均一性のある鮮やかな照明光を再現可能であり、図１９にその一例を示す。また、トップカバー２５０およびインナーカバー２２０は、共に、光透過部材なので、表面処理や色調の調整により様々な演色性を持たせることが可能であり、さらに、トップカバー２５０は防塵対策としても機能している。なお、上記インナーカバー２２０とＬＥＤ基板組体６１０の間の距離は、照明器具の観者に対して発光ダイオードからなる点光源を意識させない程度に設定することが好ましい。また、インナーカバー２２０およびトップカバー２５０は、例えば、曇りガラスのような半透明で光を拡散する部材により形成されている。
【００６９】
また、図２８からも明らかなように、フロントカバー部材２００の不透明な遮光性の部材により形成されたボトムカバー２６０が設けられており、これにより、ＬＥＤ基板組体６１０からの照明光は上記プロジェクタ装置からの投射映像に悪影響を及ぼすことはなく、他方、プロジェクタ装置３００からの投射映像の壁面上での反射が上記照明光に悪影響を及ぼすこともない。また、インナーカバー２２０の内側に遮光シート２２３を貼ることで、映像光のスクリーン側からの反射を遮光し、インナーカバー２２０の正面への映像光の透過を防いでいる。言い換えれば、本発明のＰＪ一体型壁掛け式照明器具１００はその内部に照明光発生部とプロジェクタ装置とを一体に組み込んでいるが、上述した構造によれば、それらは互いに悪影響を及ぼすことなく、照明器具としての機能とプロジェクタ装置としての機能を両立して好適に達成することが可能となっている。
【００７０】
なお、本発明は上記した実施例に限定されるものではなく、様々な変形例が含まれる。例えば、上記した実施例は本発明を分かりやすく説明するために装置全体を詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００７１】
１００…ＰＪ一体型壁掛け式照明器具、２００…フロントカバー部材、２１０…アウターカバー、２２０…インナーカバー、２５０…トップカバー、２６０…ボトムカバー、３００…プロジェクタ装置、７…排気口、７’…吸入口、５００…壁取付け部材、５１０…３軸調整金具、５２０…プロジェクタ固定金具、４００…壁掛け金具、７０…調整ダイヤル（１）、８０…調整ダイヤル（２）、９０…調整ダイヤル（３）、６００…照明装置、６１０…ＬＥＤ基板組体、７００…レーザーカーテンモジュール、８００…カメラモジュール組体。
【図１】
2019133092.tif 000004
【図２】
2019133092.tif 000005
【図３】
2019133092.tif 000006
【図４】
2019133092.tif 000007
【図５】
2019133092.tif 000008
【図６】
2019133092.tif 000009
【図７】
2019133092.tif 000010
【図８】
2019133092.tif 000011
【図９】
2019133092.tif 000012
【図１０】
2019133092.tif 000013
【図１１】
2019133092.tif 000014
【図１２】
2019133092.tif 000015
【図１３】
2019133092.tif 000016
【図１４】
2019133092.tif 000017
【図１５】
2019133092.tif 000018
【図１６】
2019133092.tif 000019
【図１７】
2019133092.tif 000020
【図１８】
2019133092.tif 000021
【図１９】
2019133092.tif 000022
【図２０】
2019133092.tif 000023
【図２１】
2019133092.tif 000024
【図２２】
2019133092.tif 000025
【図２３】
2019133092.tif 000026
【図２４】
2019133092.tif 000027
【図２５】
2019133092.tif 000028
【図２６】
2019133092.tif 000029
【図２７】
2019133092.tif 000030
【図２８】
2019133092.tif 000031